(57)【要約】【課題】  組立て性を向上させた時計モジュールを提供することを目的とする。【解決手段】  液晶表示パネル２を保持する液晶表示パネル支持枠２１と、時計の駆動回路が実装された駆動回路基板９と、電池７を保持する電池支持枠２５とを薄板状のパネル押え板２３で一体的に保持して時計モジュールを構成している。パネル押え板２３は複数のフック部２４を有しており、それらフック部２４の各々には各支持枠２１、２５側面に設けられた係合突起（突起部）２１ａ、２５ｃに対応した２種類の係合用開口部（上側開口部２４ａ、下側開口部２４ｂ）が設けられている。フック部２４の上側開口部２４ａをパネル支持枠２１側面の係合突起２１ａに係合させることで液晶表示パネル２がパネル押え板２３とパネル支持枠２１との間に挟持固定され、次いでフック部２４の下側開口部２４ｂを電池支持枠２５側面の係合突起２５ｃに係合させることで駆動回路基板９を挟んで電池支持枠２５が組み付けられる。【選択図】  図１
2006300851.tif 000002
【特許請求の範囲】
【請求項１】
少なくとも、
時刻情報を表示する時刻表示部が配置された第一の枠体と、
電池を保持するための第二の枠体と、
時計の駆動回路とを１つの保持部材で一体化させて成る時計モジュールであって、
前記第一の枠体側面に第一の被係合部を設け、前記第二の枠体側面に第二の被係合部を設け、尚且つ前記保持部材に前記第一の被係合部と係合する第一の係合部と前記第二の被係合と係合する第二の係合部とを設けたことを特徴とする時計モジュール。
【請求項２】
前記第一の被係合部と前記第二の被係合部は、それぞれ前記第一の枠体側面より突出した第一の突起部と前記第二の枠体側面より突出した第二の突起部とで構成され、前記保持部材を前記第一の枠体及び前記第二の枠体に装着する際に前記第一の突起部と前記第一の係合部との係合部位に生じる隙間は、前記第二の突起部と前記第二の係合部との係合部位に生じる隙間より広いことを特徴とする請求項１に記載の時計モジュール。
【請求項３】
前記第二の突起部の突出距離は、前記第一の突起部の突出距離より長いことを特徴とする請求項２に記載の時計モジュール。
【請求項４】
前記時刻表示部は表示パネルを有し、当該表示パネルは前記第一の枠体と前記保持部材とで挟持されていることを特徴とする請求項１〜３の何れか１つに記載の時計モジュール。
【請求項５】
前記駆動回路基板は前記第一の枠体と前記第二の枠体との間に配設され、尚且つ前記第二の枠体は前記電池を収納するための凹部を有すると共に当該凹部の底面に貫通穴を備え、当該貫通穴には前記電池と前記駆動回路基板とを導通させるコイルバネが配設されていることを特徴とする請求項１〜４の何れか１つに記載の時計モジュール。
【請求項６】
請求項１〜５の時計モジュールのうち何れか１つを組み込んで成る時刻表示機器。
【発明の詳細な説明】
【技術分野】
【０００１】
本発明は、時計モジュール、及び時刻表示機器に関するものである。
【背景技術】
【０００２】
時計モジュールとして、時刻表示部が組み込まれた枠体や電池を保持する枠体、更に時計の駆動回路が実装された駆動回路基板などを薄板状の保持部材を用いてモジュール化したものがある。（例えば、特許文献１、２参照）
【０００３】
図４は、従来の時計モジュールの一例を示す要部断面図である。時刻表示部１は、時、分、秒、曜日等の時刻情報を表示するもので、例えば液晶表示パネル２等のデジタル表示機で構成され、プラスチック製の液晶表示パネル支持枠３（第一の枠体）に保持されている。液晶表示パネル２は、金属製薄板の液晶表示パネル押え板４（以下、パネル押え板）により液晶表示パネル支持枠３（以下、パネル支持枠）に押圧固定されている。更にパネル支持枠３には、液晶表示パネル２の裏面側に導光板５が配設されており、液晶表示パネル２を裏面側から照明するようになっている。パネル支持枠３の裏面側には、プラスチック製の電池支持枠６（第二の枠体）が配置されており、その裏面側に設けられた電池収納用凹部６ａに電池７が収納されている。凹部６ａに収納された電池７は、電池支持枠６の裏面側から金属製薄板の電池押え板８で押圧固定されている。更にパネル支持枠３と電池支持枠６との間には、時計の駆動回路が実装された駆動回路基板９が挟持されている。また、電池支持枠６に設けられた電池収納用凹部６ａの底面には、電池７のマイナス端子７ａと駆動回路基板９とを導通させるための板バネ１０が配設されており、その一端部が凹部６ａ底面側に片持ち式に固定され、他端部は凹部６ａの開放端側に向けて斜めに突出している。
【０００４】
以上の大きく別けて３つの構成部材、即ちパネル支持枠３、電池支持枠６、駆動回路基板９は、前記パネル押え板４をパネル支持枠３表面側からその側面、ならびに電池支持枠６側面にかけて装着することで一体化（モジュール化）されている。パネル押え板４が有する複数のフック部１１、即ち電池支持枠６側面に向かって屈曲した部位には、開口や鍵爪（ここでは開口）で構成される係合部１１ａが設けらており、それら係合部１１ａが電池支持枠６側面に設けられた複数の被係合部（突起部１２）に各々係合することで、パネル押え板４が電池支持枠６に固定されている。
【０００５】
また、時計モジュールを組立てる際には、仮にパネル支持枠３（液晶表示パネル２、導光板５等を含む）と電池支持枠６と駆動回路基板９とを互いに組み付けた後、その状態を維持しつつパネル押え板４を装着して一体化させる。また、電池支持枠６裏面の凹部６ａに電池７を収納する際には、凹部６ａの開放端側に向かう板バネ１０の付勢力に抗して電池７のマイナス端子７ａ側を電池７のプラス端子７ｂ側から押し込んで組み入れ、電池押え板８で押圧固定する。
【特許文献１】特開平１０−１２３２６９号公報
【特許文献２】特開２００４−２１９２４２号公報
【発明の開示】
【発明が解決しようとする課題】
【０００６】
時計モジュールを組立てる際には、パネル押え板を装着する前に仮にパネル支持枠（液晶表示パネル、導光板等を含む）と電池支持枠と駆動回路基板とを互いに組み付けた状態にする必要があり、それら３つの構成部材を仮に組み付けた状態を維持したままでは保持部材の装着がし難かった。
【０００７】
本発明は、以上のような問題点に鑑みてなされたものであり、組立て性を向上させた時計モジュールを提供することを目的とする。
【課題を解決するための手段】
【０００８】
少なくとも、
時刻情報を表示する時刻表示部が配置された第一の枠体と、
電池を保持するための第二の枠体と、
時計の駆動回路とを１つの保持部材で一体化させて成る時計モジュールであって、
前記第一の枠体側面に第一の被係合部を設け、前記第二の枠体側面に第二の被係合部を設け、尚且つ前記保持部材に前記第一の被係合部と係合する第一の係合部と前記第二の被係合部と係合する第二の係合部とを設けた時計モジュールとする。
【０００９】
前記第一の被係合部と前記第二の被係合部は、それぞれ前記第一の枠体側面より突出した第一の突起部と前記第二の枠体側面より突出した第二の突起部とで構成され、前記保持部材を前記第一の枠体及び前記第二の枠体に装着する際に前記第一の突起部と前記第一の係合部との係合部位に生じる隙間は、前記第二の突起部と前記第二の係合部との係合部位に生じる隙間より広い時計モジュールとする。
【００１０】
前記第二の突起部の突出距離は、前記第一の突起部の突出距離より長い記載の時計モジュールとする。
【００１１】
前記時刻表示部は表示パネルを有し、当該表示パネルは前記第一の枠体と前記保持部材とで挟持されている時計モジュールとする。
【００１２】
前記駆動回路基板は前記第一の枠体と前記第二の枠体との間に配設され、尚且つ前記第二の枠体は前記電池を収納するための凹部を有すると共に当該凹部の底面に貫通穴を備え、当該貫通穴には前記電池と前記駆動回路基板とを導通させるコイルバネが配設されている時計モジュールとする。
【００１３】
以上の時計モジュールのうち何れか１つを組み込んだ時刻表示機器とする。
【発明の効果】
【００１４】
本発明によれば、薄板状の保持部材（例えば、液晶表示パネル押え板）が有するフック部に、第一の枠体（例えば、液晶表示パネル支持枠）側面の突起部と第二の枠体（例えば、電池支持枠）側面の突起部とに係合する係合部（開口等）をそれぞれ設けることにより、２つの枠体と保持部材とを互いに順を追って段階的に組み付けることが可能となり、組立ての作業性が向上する。
【発明を実施するための最良の形態】
【００１５】
図２は、本発明の時計モジュールの一実施例を示す図で、電池配置側から見た平面図である。また、図１は、図２のＡ−Ａ線に沿った断面図で、電池を下側として示している。尚、従来と同一の部材には同一の符号を付してある。尚、電池は本発明を説明する便宜上図示したものであり、本発明の構成部材ではない。以下、図１、２を参照して、本発明の一実施例について説明する。まず、液晶表示パネル支持枠２１（第一の枠体）には、時刻情報を表示するための時刻表示部２２、即ち本実施例においては液晶表示パネル２で構成されるデジタル表示機が配設されている。液晶表示パネル２は、液晶表示パネル支持枠２１（以下、パネル支持枠）の一部を中抜きすることで形成された空間に配設されており、パネル支持枠２１の一部と、液晶表示パネル２の表示面側に配設された薄板状の液晶表示パネル押え板２３（以下、パネル押え板）との間に挟持されている。
【００１６】
パネル押え板２３は、例えば金属製薄板に一部曲げ加工を施して、パネル支持枠２１表面から側面に向かって概ね直角に屈曲した複数のフック部２４を形成したもので、それらフック部２４にはその長手方向に向かって２つの開口部２４ａ、２４ｂが一列に並べて設けられており、さらに液晶表示パネル２と対向する位置には液晶表示パネル２の表示面を外部に露呈するための表示用開口部２３ａが設けられている。フック部２４に設けられた開口部２４ａ、２４ｂのうち上側開口部２４ａは、パネル支持枠２１側面に設けられた突起部２１ａに係合しており、これによりパネル押え板２３がパネル支持枠２１に固定されている。尚、本実施例では、１つのフック部２４に２つの開口部（開口部２４ａ、開口部２４ｂ）を設けているが、フック部を２つにして開口部２４ａと開口部２４ｂとを別々に設けるようにしても良い。
【００１７】
また、液晶表示パネル２の少なくとも一辺側（本実施例では２辺側）には電極端子（不図示）が配設されており、ゼブラゴム（不図示）を介してパネル支持枠２１裏面側に配設された駆動回路基板９と導通している。駆動回路基板９は、上述のパネル支持枠２１と、それと対向して配置された電池支持枠２５との間に挟持されている。
【００１８】
電池支持枠２５の裏面側には、概ね電池の厚さに等しい深さの電池収納用凹部２５ａが設けられている。凹部２５ａの底面には貫通穴２６が２つ設けられており（１つは不図示）、そこにコイルバネ２７が配設されている。コイルバネ２７は電池７と駆動回路基板９との導通を取るためのもので、一端部（図１では上端部）が貫通穴２６に挿通されて駆動回路基板９に接触しており、他端部が電池７のマイナス端子７ａに接触している。貫通穴２６の駆動回路基板９に面する側は、その一部が拡張された拡張部２６ａとなっており、コイルバネ２７一端部側の巻き線の先端部２７ａがその拡張部２６ａに突出することで、コイルバネ２７が貫通穴２６から脱落しないように係止されている。更に、貫通穴２６の電池７側の周縁部には電池７に向けて拡がるテーパー部２６ｂが設けられており、コイルバネ２７が貫通穴より脱落した場合であっても、コイルバネ２７を再度、貫通穴２６に組み込み易いようになっている。
【００１９】
電池７の凹部２５ａ内への固定は、電池７のプラス端子７ｂ側に配設される金属製薄板の電池押え板２８を用いて成され、電池７を凹部２５ａに組み入れる際には、まず凹部２５ａに電池７のマイナス端子７ａ側を落とし込み、その状態で電池押え板２８をコイルバネ２７の付勢力（伸長力）に抗して電池７のプラス端子７ｂ側より押し込んで、電池押え板２８が有するフック部２８ａを電池支持枠２５内壁の突起部２５ｂに係合させて装着する。このように駆動回路基板９と電池７のマイナス端子７ａとの導通にコイルバネ２７を用いれば、従来の板バネ１０を用いた場合より電池７を凹部２５ａに落とし込んだ際の電池７の傾斜を抑えることができるため、電池押え板２８の装着がし易くなる。尚、電池押え板２８は、電池７を電池支持枠２５の凹部２５ａに対して押圧する役割に加え、電池７のプラス端子７ｂと駆動回路基板９とを導通させる役割も果たしている。
【００２０】
また、コイルバネ２７を２つ配設するのは、外部から衝撃が加わった際に一方の導通が絶たれたとしても、もう一方の導通により電力の供給が完全に絶たれるのを防止するためで、２つのコイルバネ２７の巻き数を互いに変えてどちらか一方を長く形成してある。
【００２１】
また、電池支持枠２５の側面には、パネル押え板２３のフック部２４に設けられた下側開口部２４ｂと係合する突起部２５ｃが設けられており、そこにフック部２４の下側開口部２４ｂが係合することでパネル押え板２３が電池支持枠２５に固定されている。
【００２２】
以上のようにして、パネル支持枠２１と電池支持枠２５と駆動回路基板９の大きく別けて３つの構成部材が１枚のパネル押え板２３により一体的に保持されているわけであるが、これらを組立てる際には、まずパネル支持枠２１表面側の開放端より液晶表示パネル２を中抜き空間に落とし込む。この時、液晶表示パネル２はパネル支持枠２１の一部で支持された状態であり、この状態で更に上方よりパネル押え板２３を被せてフック部２４の上側開口部２４ａをパネル支持枠２１側面の突起部２１ａに係合させ、パネル押え板２３をパネル支持枠２１に装着する。この時点で液晶表示パネル２がパネル支持枠２１とパネル押え板２３との間に挟持固定される。次に液晶表示パネル２の表示面側を下方に向けた状態にし、液晶表示パネル２の裏面側からパネル支持枠２１に設けられたゼブラゴム収納用の挿通穴（不図示）にゼブラゴム（不図示）を挿通し、更にその上方より駆動回路基板９を組み込んで位置決め仮固定する。その後、電池支持枠２５を、そこに設けられた電池収納用凹部２５ａを下方に向けた状態で凹部２５ａ底面の貫通穴２６にコイルバネ２７を落とし込み（この時、コイルバネ２７の巻き線の先端部２７ａが凹部２６の拡張部２６ａに係止している）、その状態で先に組立てた液晶表示パネル２とゼブラゴムとパネル支持枠２１とパネル押え板２３と駆動回路基板９との組立体が有するパネル押え板２３のフック部２４に設けられた下側開口部２４ｂを電池支持枠２５側面の突起部２５ｃに係合させて先の組立体と電池支持枠２５とを互いに組み付ける。以上のように、本発明では１つの枠体（ここではパネル支持枠２１）と別の枠体（ここでは電池支持枠２５）とを、それぞれ順を追って段階的に組み付けることができるため、従来のように全ての構成部材を仮に組み付けた状態を維持しながら保持部材（ここではパネル押え板２３）を装着する作業は無くなり、組立て性が向上する。更に副次的な効果として、パネル支持枠２１にパネル押え板２３を装着した段階で、そこに組み込まれた液晶表示パネル２の導通検査等を行うことも可能となる。
【００２３】
また、以上説明した構成だけでも十分に本発明の目的は達成されるが、上述の構成に更なる改良を加えることで、より一層の効果を奏する。図３は、本発明の時計モジュールに係るフック部の拡大図であり、例えばこのようにパネル支持枠２１側面の突起部２１ａとフック部２４の上側開口部２４ａとの係合部位に生じる隙間Ａを、電池支持枠２５側面の突起部２５ｃとフック部２４の下側開口部２４ｂとの係合部位に生じる隙間Ｂより広く設定しておけば（突起部２１ａ、２５ｃの突出距離によるが、例えばＡ：０．４ｍｍ／Ｂ：０．１ｍｍ）、パネル支持枠２１にパネル押え板２３を装着した後、そこに電池支持枠２５を組み付ける際にパネル押え板２３のフック部２４がその屈曲点２９を支点として広がる方向に撓んだとしても、上側開口部２４ａの内縁下端部３０がパネル支持枠２１側面の突起部２１ａ下端３１に接触してフック部２４の移動を妨げることはなく、電池支持枠２５側面の突起部２５ｃとフック部２４の下側開口部２４ｂとの係合が円滑に成される。尚、上記の隙間Ａ、Ｂとは、パネル押え板２３を装着する際に生じる隙間の最大値であり、パネル押え板２３を各支持枠（パネル支持枠２１、電池支持枠２５）に装着した時点では基本的に隙間Ａ、Ｂは生じていないが、時計モジュールを構成するうえでは、少なくとも電池支持枠２５側面の突起部２５ｃとフック部２４の下側開口部２４ｂとの係合が確実に成されていればよく、必ずしもパネル支持枠２１側面の突起部２１ａとフック部２４の上側開口部２４ａとの確実な係合は必要ではない。
【００２４】
更に電池支持枠２５側面の突起部２５ｃをパネル支持枠２１側面の突起部２１ａよりも長く（突出して）形成しておけば、電池支持枠２５側面の突起部２５ｃとフック部２４の下側開口部２４ｂとの係合をより確実なものとすることができる。但し、電池支持枠２５側面の突起部２５ｃを不要に長くすると、フック部２４の下側開口部２４ｂを係合させる際にフック部２４を側方に向けて大きく撓ませなければならないため、パネル押え板２３に不要なストレスを掛けないことを考えると、図３に点線で示すようにパネル支持枠２１側面の突起部２１ａとフック部２４の上側開口部２４ａとの係合が必要最小限確保された状態で電池支持枠２５側面の突起部２５ｃがフック部２４の下側開口部２４ｂと係合し始める範囲に設定するのが好ましい。
【００２５】
尚、以上説明した実施形態では、時刻表示部１が液晶表示パネル２等のデジタル表示機で構成される場合について説明したが、指針や文字板を備えたアナログ表示機で構成される場合にも適用が可能である。この場合、指針を駆動する駆動部は２つの枠体のうちどちらに組み込まれていてもいてもよく、それら２つの枠体を前述のパネル押え板２３の如き薄板状の保持部材を用いて一体化させることが可能である。
【００２６】
即ち本発明の要旨は、複数の枠体をそれに応じた複数の係合部を有する１つの保持部材で一体化させることであり、３つ以上の枠体を用いて構成される時計モジュールにも応用が広がるものである。
【００２７】
また、本発明の時計モジュールは、腕時計を始めとするあらゆる時刻表示機器に組み込んで使用することが可能である。
【図面の簡単な説明】
【００２８】
【図１】図２のＡ−Ａ線に沿った断面図
【図２】本発明の時計モジュールの一実施例を示す図で、電池配置側から見た平面図
【図３】本発明の時計モジュールに係るフック部の拡大図
【図４】従来の時計モジュールの一例を示す要部断面図
【符号の説明】
【００２９】
１      時刻表示部
２      液晶表示パネル
３      液晶表示パネル支持枠
４      液晶表示パネル押え板
５      導光板
６      電池支持枠
６ａ    電池収納用凹部
７      電池
７ａ    マイナス端子
７ｂ    プラス端子
８      電池押え板
９      駆動回路基板
１０    板バネ
１１    フック部
１１ａ  開口部
２１    液晶表示パネル支持枠
２１ａ  突起部
２２    時刻表示部
２３    液晶表示パネル押え板
２３ａ  表示用開口部
２４    フック部
２４ａ  上側開口部
２４ｂ  下側開口部
２５    電池支持枠
２５ａ  電池収納用凹部
２５ｂ  突起部
２５ｃ  突起部
２６    貫通穴
２６ａ  拡張部
２６ｂ  テーパー部
２７    コイルバネ
２７ａ  巻き線先端部
２８    電池押え板
２８ａ  フック部
２９    屈曲点
３０    内縁下端部
３１    突起部下端
【図１】
2006300851.tif 000003
【図２】
2006300851.tif 000004
【図３】
2006300851.tif 000005
【図４】
2006300851.tif 000006